(57)【要約】【課題】製造コスト、ランニングコストを抑制しつつ、便器口部への配置と排泄物の廃棄処理が簡易なボータブル便器の汚れ防止具を提供する。【解決手段】所定時間の耐水性と保形性とを有するシート材１で形成し、ポータブル便器４に内接するバケツ４１の内側底部４１ａに馴染む形状の底面部２と、該底面部の外周縁２１から上方に所定高さ立ち上げた側壁部３と、から構成する。底面部の形状は略卵形としている。側壁部は、底面部の外周縁より上方へ向かって拡径させて形成する。シート材は、略平坦に折り畳み可能な材質、その表面を所定時間だけ水分の浸潤を防止するような表面処理（例えば、撥水コーティング処理）をしていることが好ましい。【選択図】      図３
0003105580.tif 000002
【実用新案登録請求の範囲】
【請求項１】
ポータブル便器（４）に内設された排泄物受けバケツ（４１）の内側底部（４１ａ）に配設する汚れ防止具であって、
所定時間の耐水性と保形性とを有するシート材（１）で形成し、
上記バケツ（４１）の内側底部（４１ａ）に馴染む形状の底面部（２）と、
該底面部（２）の外周縁（２１）から上方に所定高さ立ち上げた側壁部（３）と、
から成ることを特徴としたポータブル便器の汚れ防止具。
【請求項２】
側壁部（３）を、上方へ向かって底面部（２）の外周縁（２１）より拡径させたように形成したことを特徴とする請求項１記載のポータブル便器の汚れ防止具。
【請求項３】
シート材（１）を略平坦に折り畳み可能な材質で形成したことを特徴とする請求項１又は２記載のポータブル便器の汚れ防止具。
【請求項４】
シート材（１）の表面の一方側又は両方側を所定時間だけ防水性を保つように表面処理（コーティング処理）をしたことを特徴とする請求項１、２、又は３記載のポータブル便器の汚れ防止具。
【考案の詳細な説明】
【技術分野】
【０００１】
本願考案は、ポータブル便器に内設された排泄物受けバケツの内側底部に配設して、排泄した汚物が便器に直接付着するのを防止するためのポータブル便器の防止具に関する。
【背景技術】
【０００２】
病気や年齢等の理由により介護を必要とする人（以下、「被介護人」と称する。）は、長い距離の歩行が困難な場合が多く、その場合には病室や寝室内の寝床脇に設置した簡易便器（いわゆる、ポータブル便器）を用いて排泄を行うことが多い。
【０００３】
このことは、おしめを使わずに自律排泄を行わせことになるため、病気や人体機能の回復促進の点から大いに推奨されるものであった。
【０００４】
しかしながら、排泄後の汚物の処理はやはり介護人の協力を得なければならないものであった。かかる汚物の処理は、ポータブル便器から内設のバケツの部分を取り出して、一般トイレの便器内や下水投入口へ廃棄することによって行っていた。
【０００５】
この作業は、悪臭が伴い身体的にも気分的にも負担の大きいものであった。また、汚物の廃棄後はその一部が上記のバケツ内に付着して残存することが多く、通常手作業で行われるバケツ内の消毒殺菌のための洗浄においては、不快負担の大きいものであった。
【０００６】
ところで、このような作業負担の軽減を目的とするものとして、例えば、特許文献１の発明が開示されている。この発明は、簡易便器の内部に配置するバケツ型に形成した使い捨て吸収シートであって、表面側は防水素材、内面側は吸収素材と水分凝固素材から構成したものである。また、表面側の４箇所にギャザーを設けて簡易便器の内面への配置を容易にし、さらに固定用の接着テープも配設してある。
【０００７】
このシートを簡易便器に配置し、被介護人の排泄後に汚物と一緒にシートを簡易便器から取り外し廃棄処理することが可能であり、便器内面の汚れを防止すると共に介護人の手を汚さずに済むことになる。
【特許文献１】特開平１０−２４８７５３号公報（第２−３頁、第３図）
【考案の開示】
【考案が解決しようとする課題】
【０００８】
しかしながら、特許文献１の使い捨て吸収シートは、４箇所にギャザーを配置した上に、防水、水分凝固、さらには吸収素材を積層した３層構造であることから高コストに成らざるを得ないものであった。
【０００９】
さらに、この使い捨て式の吸収シートは、大きさとしてもポータブルトイレの内部の全面をほぼ覆うため、一回の排泄毎に交換するには、そのランニングコスト（継続使用による製品購入費用）も負担の大きいものであるばかりでなく、排泄毎に手作業によって便器から取り外す作業が必要となるため、煩雑または非衛生的なものであった。
【００１０】
そこで、本願考案は、かかる課題を鑑みて為されたものであり、製造コスト、ランニングコストを抑制しつつ、便器口部への配置と排泄物の廃棄処理が簡易なポータブル便器の汚れ防止具を提供する。
【課題を解決するための手段】
【００１１】
上記の課題を解決するために、本願考案にかかるポータブル便器の汚れ防止具は、以下のように構成している。
【００１２】
すなわち、所定時間の耐水性と保形性とを有するシート材（１）で形成し、ポータブル便器に内接するバケツ（４１）の内側底部（４１ａ）に馴染む形状の底面部（２）と、該底面部（２）の外周縁（２１）から上方に所定高さ立ち上げた側壁部（３）と、から構成している。そして、前記のように構成した汚れ防止具（Ａ）を、ポータブル便器（４）に内設された排泄物受けのバケツ（４１）の内側底部（４１ａ）に載置して使用に供する。底面部（２）の形状は略卵形とするのが好適である。この形状は、ポータブル便器（４）に内接するバケツ（４１）の内側底部（４１ａ）に良く馴染む形状である。
【００１３】
側壁部（３）は、底面部（２）の外周縁（２１）より上方へ向かって拡径させて形成している。この拡径した側壁部（３）によりバケツ（４１）の内側壁面（４１ｂ）に汚れ防止具の側壁部（３）が倣うように当接する。
【００１４】
シート材（１）は、略平坦に折り畳み可能な材質、例えば、紙材で形成している。これにより、防止具は折り畳んだ状態で嵩張らず保管及び運搬を容易にしている。
【００１５】
また、シート材（１）の表面の一方側又は両方側の表面を所定時間だけ水分の浸潤を防止するような表面処理（例えば、撥水コーティング処理）をすることが好ましい。
【００１６】
また一定時間後は、逆に水溶性を奏することが、水洗トイレへの廃棄において望ましい。
【考案の効果】
【００１７】
本願考案のポータブル便器の汚れ防止具は、上述のように構成をしているため、以下の効果を奏する。
【００１８】
ポータブル便器のバケツの内側底部に馴染む形状の底面部から拡径して側壁部が立設する簡易な構成であるため、製造コストを抑制できるだけでなく、バケツの内側底部及びその周縁部の内壁を覆い、汚物を確実に収納すると共にバケツの内側壁面への一部付着も防止することが可能である。
【００１９】
また、汚れ防止具を形成するシート材を略平坦に折り畳み可能な材質にしているため、その保管性が良いばかりか、バケツへの内側底部への配置における取扱い性も良い。
【００２０】
さらに、シート材は所定時間の耐水性と保形性を有し、防水性を有するように表面処理をしているため、汚物の水分の外部への漏出を防止し、廃棄までの所定時間における汚物の収納を可能としている。
【００２１】
これらの効果は、ポータブル便器のバケツ内部に汚物が付着するのを防止し、バケツ内面の洗浄及び消毒等の心理的な負担が大きい介護人の労力低減に顕著な貢献をしている。
【考案を実施するための最良の形態】
【００２２】
以下に、本願考案にかかるポータブル便器の汚れ防止具Ａ（以下、「汚れ防止具」と略称する。）の最良の実施形態について、図面に基づき詳細に説明する。
【実施例１】
【００２３】
図１は本実施例の汚れ防止具を示す斜視図であり、図２は本実施例の汚れ防止具をポータブル便器に配置した状態を示す平面図であり、図３は本実施例の汚れ防止具をポータブル便器に配置した状態を示す一部切欠き斜視図である。
【００２４】
汚れ防止具Ａは、所定時間の耐水性かつ保形性を有するシート材１から成り、底面部２の外周縁２１から側壁部３を立設して、言わば容器状に構成している。この汚れ防止具Ａは、ポータブル便器４のバケツ４１の内側底部４１ａに配設する。
【００２５】
シート材１の所定時間の耐水性と保形性とは、一定量の水分に触れれば即座に破損等するものではなく、所定時間、例えば１時間程度の耐水性と形状維持のための保形性を有していれば良い。さらに、汚物を収納した後は、当該汚物を収納した状態のままで所定時間において、破損等することがなくその形状を維持し得るものである。
【００２６】
シート材１は、例えば、紙材、合成樹脂材等、から適宜選択したものであり、本実施例では水溶性を有し、かつ折り曲げ可能な紙材を採用している。また、ある程度のいわゆる腰のある材質が好ましい。このシート材１の性質より、ある程度の保形性を有すると共に、折り畳んで略平坦にして多数枚を積載して保管することも可能であり、または容器状（又は、底面平盤の上端開放の箱状やいわゆるカルデラ状、等）の形状のために多数を単に積み重ねるようにして保管することも可能である。
【００２７】
底面部２は上面視において略卵型（例えば、長径側約２２０〜２４０ｍｍ、短径側約１８０〜２００ｍｍ）の形状を成している。この形状は、ポータブル便器４のバケツ４１の内側底部４１ａに略一致する形状であり、図示するようにバケツ４１の内側底部４１ａに馴染む形状である。このため、汚れ防止具Ａのバケツ４１の内側底部４１ａへの配設は、単純に載置するのみで完了する。この配設時に介護人は、折り畳んだ汚れ防止具Ａをバケツ内部で展開するようにし、内側壁面４１ｂと手の接触を避けるようにすることも可能である。
【００２８】
側壁部３は、略卵型形状の底面部２の外周縁２１から所定高さ（例えば、５０〜７０ｍｍ）において一体的に立設している。また、側壁部３は外周縁２１より拡径（長例えば、長径側約３６０〜３８０ｍｍ、短径側約３００〜３２０ｍｍ）するように立設している。このため、側壁部３は、すり鉢状に縮径するバケツ４１の内側壁面４１ｂに立設状態で倣うよう当接することになる。そして、底面部２との形状と相俟ってバケツ４１の内側底部４１ａ及びその近傍の内側壁面４１ｂを完全に覆うこととなる。
【００２９】
なお、容器状に形成した汚れ防止具Ａの内側に位置する面は、汚物の水分漏出を防止する目的で所定時間だけ防水性を保つように表面処理（コーティング処理）している。この表面処理は外側に位置する面にも施しても良い。
【００３０】
以上のように構成した汚れ防止具は、以下のようにして使用に供される。
まず、介護人は予めポータブル便器４の内側底部４１ａに汚れ防止具Ａを、図２、３に示すように側壁部３が上方開口するように配設する。
【００３１】
被介護人がポータブル便器４で排泄を行うと、汚物はバケツ４１に配設した汚れ防止具Ａに受け止められ、汚れ防止具Ａ内に収納される。
【００３２】
介護人は、被介護人の排泄後にポータブル便器４からバケツ４１を取り出すと共に、バケツ４１の内側壁面４１ｂとの滑りを良くするため、汚れ防止具Ａとバケツ４１の内側壁面４１ｂの間に少量の水を流し込み、汚れ防止具Ａのシート材１を濡らした状態とする。
【００３３】
次に、介護人はバケツ４１を傾けて、汚物を収納した汚れ防止具Ａを上記で流し込んだ水と共に滑らせるように一般の水洗トイレ等に廃棄する。この時に、汚れ防止具Ａの外側表面は、バケツ４１の内側底部４１ａ付近を洗い流すことになり、さらにバケツ４１の上部側に付着した汚物をも一緒に洗い流すことも可能である。廃棄された汚れ防止具Ａは水溶性を有するため、浄化槽に送水され汚物と共に分解されることとなる。なお、介護人は、上記の作業終了後に必要によりバケツ４１の内側壁面４１ｂの全体の滅菌洗浄を行えば良い。
【図面の簡単な説明】
【００３４】
【図１】本実施例の汚れ防止具を示す斜視図である。
【図２】本実施例の汚れ防止具をポータブル便器に配置した状態を示す平面図である。
【図３】本実施例の汚れ防止具をポータブル便器に配置した状態を示す一部切欠き斜視図である。
【符号の説明】
【００３５】
Ａ  汚れ防止具
１  シート材
２  底面部
２１  外周縁
３  側壁部
４  ポータブル便器
４１  バケツ
４１ａ  内側底部
４１ｂ  内側壁面
【図１】
0003105580.tif 000003
【図２】
0003105580.tif 000004
【図３】
0003105580.tif 000005